(57)【要約】【課題】光コネクタに光ファイバの先端部を固定する際に、光ファイバに所望の大きさのたわみを形成する。【解決手段】光コネクタ６０は、内蔵光ファイバ７４を有するフェルール７０と、フェルール７０と一体に設けられると共に、内部に形成された溝８２に内蔵光ファイバ７４が挿入され、光ファイバケーブル１２０の外皮部の端部から突出された光ファイバ心線１２２の突出部を溝８２にて内蔵光ファイバ７４と突き合わせた状態で固定するためのファイバ固定部７２と、フェルール７０及びファイバ固定部７２と別体に構成され、光ファイバケーブル１２０の外皮部と固定されるケーブル固定部材６４と、ファイバ固定部７２に対してケーブル固定部材６４を固定支持するための収納部材６８と、ファイバ固定部７２とケーブル固定部材６４との間から突出され、光ファイバ心線１２２の突出部に特定の方向に向けてたわみを形成するための凸部９２と、を備えている。【選択図】図１
2011059701.tif 000002
【特許請求の範囲】
【請求項１】
内蔵光ファイバを有するフェルールと、
前記フェルールと一体に設けられると共に、内部に形成された溝に前記内蔵光ファイバが挿入され、光ファイバケーブルの外皮部の端部から突出された光ファイバ心線の突出部を前記溝にて前記内蔵光ファイバと突き合わせた状態で固定するためのファイバ固定部と、
前記フェルール及び前記ファイバ固定部と別体に構成され、前記光ファイバケーブルの外皮部と固定されるケーブル固定部と、
前記ファイバ固定部に対して前記ケーブル固定部を固定支持するための固定支持部と、
前記ファイバ固定部と前記ケーブル固定部との間から突出され、前記光ファイバ心線の突出部に特定の方向に向けてたわみを形成するための凸部と、
を備えた光コネクタ。
【請求項２】
内蔵光ファイバを有するフェルールと、
前記フェルールと一体に設けられると共に、内部に形成された溝に前記内蔵光ファイバが挿入され、光ファイバケーブルの外皮部の端部から突出された光ファイバ心線の突出部を前記溝にて前記内蔵光ファイバと突き合わせた状態で固定するためのファイバ固定部と、
前記フェルール及び前記ファイバ固定部と別体に構成され、前記光ファイバケーブルの外皮部と固定されるケーブル固定部と、
前記ケーブル固定部から前記ファイバ固定部に向けて延出されると共に、前記光ファイバ心線の突出部と接触されて前記光ファイバ心線の突出部に特定の方向に向けてたわみを形成し得る変形状態を取り得る可動片と、
前記ファイバ固定部に対して前記ケーブル固定部を固定支持するための固定支持部と、
前記固定支持部に設けられ、前記ケーブル固定部が前記ファイバ固定部側に移動されることに伴って前記可動片と接触されて前記可動片を前記変形状態とする接触部と、
を備えた光コネクタ。
【請求項３】
内蔵光ファイバを有するフェルールと、
前記フェルールと一体に設けられると共に、内部に形成された溝に前記内蔵光ファイバが挿入され、光ファイバケーブルの外皮部の端部から突出された光ファイバ心線の突出部を前記溝にて前記内蔵光ファイバと突き合わせた状態で固定するためのファイバ固定部と、
前記フェルール及び前記ファイバ固定部と別体に構成され、前記光ファイバケーブルの外皮部と固定されるケーブル固定部と、
前記ファイバ固定部に対して前記ケーブル固定部を固定支持するための固定支持部と、
前記固定支持部に設けられると共に、前記光ファイバ心線の突出部と接触されて前記光ファイバ心線の突出部に特定の方向に向けてたわみを形成し得る変形状態を取り得る可動片と、
を備えた光コネクタ。
【請求項４】
内蔵光ファイバを有するフェルールと、
前記フェルールと一体に設けられると共に、内部に形成された溝に前記内蔵光ファイバが挿入され、光ファイバケーブルの外皮部の端部から突出された光ファイバ心線の突出部を前記溝にて前記内蔵光ファイバと突き合わせた状態で固定するためのファイバ固定部と、
前記フェルール及び前記ファイバ固定部と別体に構成され、前記光ファイバケーブルの外皮部と固定されるケーブル固定部と、
前記溝の中心軸に対して偏芯した位置に中心軸を有すると共に前記溝と連通するガイド孔を有し、前記ファイバ固定部に対して前記ケーブル固定部を固定支持するための固定支持部と、
を備えた光コネクタ。
【発明の詳細な説明】
【技術分野】
【０００１】
本発明は、光コネクタ用取付補助具及び光コネクタに関する。
【背景技術】
【０００２】
特許文献１には、光コネクタ取付用工具が開示されている。この光コネクタ取付用工具では、挿入補助工具に光コネクタを取り付けると共に、アタッチメント工具に光ファイバを取り付けた状態で、挿入補助工具に対してアタッチメント工具をスライドさせて光コネクタの内部に光ファイバを挿入し、この光ファイバと、光コネクタの内部に設けられた内蔵光ファイバとを突き合わせ接続するようになっている。
【０００３】
一方、特許文献２には、光コネクタが開示されている。この光コネクタは、フレームと、このフレームの内部に設けられ内蔵光ファイバを有する接続部品と、光ファイバケーブルを把持する把持部材と、フレームに対して把持部材を支持する把持部材収納部と、把持部材収納部を開閉する蓋を有して構成されている。そして、この光コネクタでは、蓋を開けた状態で把持部材を把持部材収納部に収納すると共に、把持部材から突出する光ファイバ心線の先端部を接続部品の内部に挿入し、この光ファイバ心線と、接続部品の内部に設けられた内蔵光ファイバとを突き合わせ接続するようになっている。
【先行技術文献】
【特許文献】
【０００４】
【特許文献１】特開２００７−１２１８６３号公報
【特許文献２】特開２００９−１３９８９１号公報
【発明の概要】
【発明が解決しようとする課題】
【０００５】
しかしながら、上記特許文献１に記載の光コネクタ取付用工具では、光ファイバと内蔵光ファイバとが所定の突き当て力で突き当てられるようにするために光ファイバの一部にたわみを形成するようになっているが、このたわみが上側ではなく下側に向けて形成された場合、たわみが工具の一部と干渉し、所望の大きさのたわみを形成することができない場合がある。そして、この場合には、光ファイバと内蔵光ファイバとの突き当て力が過大となり、光ファイバや内蔵光ファイバに欠け等が生じる虞がある。
【０００６】
同様に、上記特許文献２に記載の光コネクタにおいても、たわみが上側ではなく下側に向けて形成された場合、たわみが周囲のコネクタ構造部（例えば、把持部材から延出され、光ファイバ心線を下側から支持する延出支持部）と干渉し、所望の大きさのたわみを形成することができない場合がある。そして、この場合には、光ファイバ心線と内蔵光ファイバとの突き当て力が過大となり、光ファイバ心線や内蔵光ファイバに欠け等が生じる虞がある。
【０００７】
本発明は、上記課題に鑑みてなされたものであって、所望の大きさのたわみを形成することができる光コネクタ用取付補助具及び光コネクタを提供することを目的とする。
【課題を解決するための手段】
【０００８】
前記課題を解決するために、請求項１に記載の光コネクタは、内蔵光ファイバを有するフェルールと、前記フェルールと一体に設けられると共に、内部に形成された溝に前記内蔵光ファイバが挿入され、光ファイバケーブルの外皮部の端部から突出された光ファイバ心線の突出部を前記溝にて前記内蔵光ファイバと突き合わせた状態で固定するためのファイバ固定部と、前記フェルール及び前記ファイバ固定部と別体に構成され、前記光ファイバケーブルの外皮部と固定されるケーブル固定部と、前記ファイバ固定部に対して前記ケーブル固定部を固定支持するための固定支持部と、前記ファイバ固定部と前記ケーブル固定部との間から突出され、前記光ファイバ心線の突出部に特定の方向に向けてたわみを形成するための凸部と、を備えている。
【０００９】
この光コネクタは、例えば、次の要領で光ファイバケーブルと固定される。すなわち、先ず、光ファイバケーブルの外皮部にケーブル固定部を固定した状態で、ケーブル固定部をファイバ固定部に近づけて、光ファイバケーブルの外皮部の端部から突出された光ファイバ心線の突出部をファイバ固定部の内部に形成された溝に挿入する。
【００１０】
次いで、内蔵光ファイバの後端と光ファイバ心線の先端とが突き当てられて光ファイバ心線の突出部にたわみが形成されるまで、ケーブル固定部をファイバ固定部に近づける。そして、光ファイバ心線の突出部にたわみが形成された状態で、ファイバ固定部によって光ファイバ心線の突出部を内蔵光ファイバと固定し、さらに、固定支持部によってファイバ固定部に対してケーブル固定部を固定支持する。以上の要領で、光コネクタは、光ファイバケーブルと固定される。
【００１１】
ここで、この光コネクタでは、光ファイバ心線の突出部に特定の方向に向けてたわみを形成するための凸部がファイバ固定部とケーブル固定部との間から突出されている。従って、上述のように、ケーブル固定部をファイバ固定部に近づけて光ファイバ心線の突出部の一部にたわみを形成する場合でも、この凸部によってたわみの形成方向を特定の方向（上側）に規定することができる。これにより、たわみが周囲のコネクタ構造部（例えば、ケーブル固定部から延出され、光ファイバ心線の突出部を下側から支持する延出支持部）と干渉することを防止することができるので、所望の大きさのたわみを形成することができる。
【００１２】
また、前記課題を解決するために、請求項２に記載の光コネクタは、内蔵光ファイバを有するフェルールと、前記フェルールと一体に設けられると共に、内部に形成された溝に前記内蔵光ファイバが挿入され、光ファイバケーブルの外皮部の端部から突出された光ファイバ心線の突出部を前記溝にて前記内蔵光ファイバと突き合わせた状態で固定するためのファイバ固定部と、前記フェルール及び前記ファイバ固定部と別体に構成され、前記光ファイバケーブルの外皮部と固定されるケーブル固定部と、前記ケーブル固定部から前記ファイバ固定部に向けて延出されると共に、前記光ファイバ心線の突出部と接触されて前記光ファイバ心線の突出部に特定の方向に向けてたわみを形成し得る変形状態を取り得る可動片と、前記ファイバ固定部に対して前記ケーブル固定部を固定支持するための固定支持部と、前記固定支持部に設けられ、前記ケーブル固定部が前記ファイバ固定部側に移動されることに伴って前記可動片と接触されて前記可動片を前記変形状態とする接触部と、を備えている。
【００１３】
この光コネクタは、例えば、次の要領で光ファイバケーブルと固定される。すなわち、先ず、光ファイバケーブルの外皮部にケーブル固定部を固定した状態で、ケーブル固定部をファイバ固定部に近づけて、光ファイバケーブルの外皮部の端部から突出された光ファイバ心線の突出部をファイバ固定部の内部に形成された溝に挿入する。
【００１４】
次いで、この状態からさらにケーブル固定部をファイバ固定部に近づけると、可動片が接触部と接触することによって変形された状態となる。そして、これにより、この可動片が光ファイバ心線の突出部の一部を押し上げるので、光ファイバ心線の突出部の一部にたわみが形成される。
【００１５】
そして、光ファイバにたわみが形成された状態で、ファイバ固定部によって光ファイバ心線の突出部を内蔵光ファイバと固定し、さらに、固定支持部によってファイバ固定部に対してケーブル固定部を固定支持する。以上の要領で、光コネクタは、光ファイバケーブルと固定される。
【００１６】
このように、この光コネクタによれば、ケーブル固定部をファイバ固定部に近づけた場合に、可動片によって光ファイバ心線の突出部の一部にたわみを形成することができると共に、このたわみの形成方向を特定の方向（上側）に規定することができる。これにより、たわみが周囲のコネクタ構造部（この場合、ケーブル固定部から延出され、光ファイバ心線の突出部を下側から支持する延出支持部としての機能も有する可動片）と干渉することを防止することができるので、所望の大きさのたわみを形成することができる。
【００１７】
また、前記課題を解決するために、請求項３に記載の光コネクタは、内蔵光ファイバを有するフェルールと、前記フェルールと一体に設けられると共に、内部に形成された溝に前記内蔵光ファイバが挿入され、光ファイバケーブルの外皮部の端部から突出された光ファイバ心線の突出部を前記溝にて前記内蔵光ファイバと突き合わせた状態で固定するためのファイバ固定部と、前記フェルール及び前記ファイバ固定部と別体に構成され、前記光ファイバケーブルの外皮部と固定されるケーブル固定部と、前記ファイバ固定部に対して前記ケーブル固定部を固定支持するための固定支持部と、前記固定支持部に設けられると共に、前記光ファイバ心線の突出部と接触されて前記光ファイバ心線の突出部に特定の方向に向けてたわみを形成し得る変形状態を取り得る可動片と、を備えている。
【００１８】
この光コネクタは、例えば、次の要領で光ファイバケーブルと固定される。すなわち、先ず、光ファイバケーブルの外皮部にケーブル固定部を固定した状態で、ケーブル固定部をファイバ固定部に近づけて、光ファイバケーブルの外皮部の端部から突出された光ファイバ心線の突出部をファイバ固定部の内部に形成された溝に挿入する。
【００１９】
そして、ケーブル固定部が固定支持部によってファイバ固定部に対して固定支持される位置までケーブル固定部をファイバ固定部に近づけると共に、このときに可動片を変形状態とする。これにより、この可動片が光ファイバ心線の突出部の一部を押し上げるので、光ファイバ心線の突出部にたわみが形成された状態で内蔵光ファイバの後端と光ファイバ心線の先端とが突き当てられる。
【００２０】
そして、光ファイバ心線の突出部の一部にたわみが形成された状態で、ファイバ固定部によって光ファイバ心線の突出部を内蔵光ファイバと固定し、さらに、固定支持部によってケーブル固定部をファイバ固定部に対して固定支持する。以上の要領で、光コネクタは、光ファイバケーブルと固定される。
【００２１】
このように、この光コネクタによれば、上述のように、ケーブル固定部をファイバ固定部に近づけた場合に、可動片によって光ファイバ心線の突出部の一部にたわみを形成することができると共に、このたわみの形成方向を特定の方向（上側）に規定することができる。これにより、たわみが周囲のコネクタ構造部（例えば、ケーブル固定部から延出され、光ファイバ心線の突出部を下側から支持する延出支持部）と干渉することを防止することができるので、所望の大きさのたわみを形成することができる。
【００２２】
また、前記課題を解決するために、請求項４に記載の光コネクタは、内蔵光ファイバを有するフェルールと、前記フェルールと一体に設けられると共に、内部に形成された溝に前記内蔵光ファイバが挿入され、光ファイバケーブルの外皮部の端部から突出された光ファイバ心線の突出部を前記溝にて前記内蔵光ファイバと突き合わせた状態で固定するためのファイバ固定部と、前記フェルール及び前記ファイバ固定部と別体に構成され、前記光ファイバケーブルの外皮部と固定されるケーブル固定部と、前記溝の中心軸に対して偏芯した位置に中心軸を有すると共に前記溝と連通するガイド孔を有し、前記ファイバ固定部に対して前記ケーブル固定部を固定支持するための固定支持部と、を備えている。
【００２３】
この光コネクタは、例えば、次の要領で光ファイバケーブルと固定される。すなわち、先ず、光ファイバケーブルの外皮部にケーブル固定部を固定した状態で、ケーブル固定部をファイバ固定部に近づけて、光ファイバケーブルの外皮部の端部から突出された光ファイバ心線の突出部を固定支持部のガイド孔に挿入した後にファイバ固定部の内部に形成された溝に挿入する。
【００２４】
次いで、内蔵光ファイバの後端と光ファイバ心線の先端とが突き当てられて光ファイバ心線の突出部にたわみが形成されるまで、ケーブル固定部をファイバ固定部に近づける。そして、光ファイバにたわみが形成された状態で、ファイバ固定部によって光ファイバ心線の突出部を内蔵光ファイバと固定し、さらに、固定支持部によってケーブル固定部をファイバ固定部に対して固定支持する。以上の要領で、光コネクタは、光ファイバケーブルと固定される。
【００２５】
ここで、この光コネクタでは、ガイド孔が溝の中心軸に対して偏芯した位置に中心軸を有している。従って、上述のように、ケーブル固定部をファイバ固定部に近づけたときには、このガイド孔の中心軸が溝の中心軸に対して偏芯した位置に設定されていることよって光ファイバ心線の突出部の一部にたわみを形成することができると共に、このたわみの形成方向を特定の方向（上側）に規定することができる。これにより、たわみが周囲のコネクタ構造部（例えば、ケーブル固定部から延出され、光ファイバ心線の突出部を下側から支持する延出支持部）と干渉することを防止することができるので、所望の大きさのたわみを形成することができる。
【発明の効果】
【００２６】
以上詳述したように、本発明によれば、所望の大きさのたわみを形成することができる。
【図面の簡単な説明】
【００２７】
【図１】本発明の第一実施形態に係る光コネクタに光ファイバケーブルを固定した状態を示す図である。
【図２】図１に示される光コネクタに光ファイバケーブルを固定する順序を示す図である。
【図３】図１に示されるファイバ固定部に光ファイバ心線を固定する順序を示す図である。
【図４】本発明の第一実施形態に係る光コネクタの変形例を示す図である。
【図５】本発明の第二実施形態に係る光コネクタに光ファイバケーブルを固定した状態を示す図である。
【図６】図５に示される光コネクタに光ファイバケーブルを固定する順序を示す図である。
【図７】本発明の第三実施形態に係る光コネクタに光ファイバケーブルを固定した状態を示す図である。
【図８】図７に示される光コネクタに光ファイバケーブルを固定する順序を示す図である。
【図９】本発明の第四実施形態に係る光コネクタに光ファイバケーブルを固定する順序を示す図である。
【発明を実施するための形態】
【００２８】
［第一実施形態］
はじめに、本発明の第一実施形態について説明する。
【００２９】
図１に示される本発明の第一実施形態に係る光コネクタ６０は、後述する光ファイバケーブル１２０の先端部に取り付けられるものであり、プラグ６２と、ケーブル固定部材６４と、フレーム６６と、固定支持部としての収納部材６８とを主要な構成として備えている。
【００３０】
プラグ６２は、フェルール７０及びファイバ固定部７２を有して構成されている。フェルール７０は、内蔵光ファイバ７４を有しており、後述するファイバ固定部７２の基板７６に一体に組み付けられている。
【００３１】
ファイバ固定部７２は、所謂、メカニカルスプライス方式とされており、基板７６と、一対の蓋部材７８と、押圧部材８０とを有して構成されている。基板７６の表面部には、光コネクタ６０の軸方向に沿って溝８２が形成されており、この溝８２には、上述の内蔵光ファイバ７４の後端側が挿入されている。
【００３２】
一対の蓋部材７８は、溝８２の長手方向に並んで配置されると共に、それぞれこの溝８２が形成された基板７６の表面部を覆う大きさ及び形状で構成されて、この基板７６の表面部と対向して設けられている。また、この一対の蓋部材７８は、押圧部材８０によって基板７６側にそれぞれ押圧されている。
【００３３】
なお、この光コネクタ６０では、図３に示されるように、この光コネクタ６０に一体部品として備えられるか又は別体の治具とされた楔８４を挿入可能な凹部８６が基板７６及び一対の蓋部材７８に形成されている。そして、この凹部８６に楔８４を挿入することで基板７６から一対の蓋部材７８を離間させることが可能となっている。
【００３４】
図１に示されるように、ケーブル固定部材６４は、プラグ６２及びフレーム６６と別体に構成されており、後述する光ファイバケーブル１２０の外皮部１２４を把持するケーブル固定部としての一対の把持部８８と、延出支持部９０とを有して構成されている。延出支持部９０は、光ファイバ心線１２２の突出部１２２Ａを下側から支持するためのものであり、一対の把持部８８の一方からファイバ固定部７２側に向けて延出されている。また、この延出支持部９０の先端には、後述する蓋１０８側に向けて凸部９２が形成されている。この凸部９２の高さは、ファイバ固定部７２の中心軸Ａ２（溝８２の中心軸）よりも高く設定されている。
【００３５】
収納部材６８には、フレーム６６側に嵌合部９４が形成されており、この嵌合部９４がフレーム６６の収納部材６８側と嵌合されることにより、フレーム６６と収納部材６８とは、互いに一体に組み付けられている。
【００３６】
フレーム６６の内部には、上述のファイバ固定部７２が収納されており、このファイバ固定部７２に一体に設けられたフェルール７０は、フレーム６６の先端側に形成された孔部９６を通じて外部に突出されている。一方、収納部材６８のフレーム６６側には、溝８２と連通すると共にケーブル固定部材６４側に向かうに従って拡径するガイド孔１００が形成されている。
【００３７】
また、上述の基板７６及び蓋部材７８には、拡径部１０２が形成されており、この拡径部１０２と嵌合部９４との間には、スプリング１０４が圧縮状態で収納されている。そして、プラグ６２は、このスプリング１０４によって光コネクタ６０の先端側に付勢されている。
【００３８】
また、上述の収納部材６８は、収納室１０６Ａを有する本体部１０６と、この収納室１０６Ａを開閉する蓋１０８とを有している。蓋１０８は、その先端側が本体部１０６に回動可能に連結されており、収納室１０６Ａを開放する開状態（図２上図参照）と、収納室１０６Ａを閉鎖する閉状態（図２下図参照）とを取り得るようになっている。また、蓋１０８の後端側には、ケーブル固定部材６４の抜けを防止するための抜止部１１０が形成されている。
【００３９】
なお、図示しないが、収納部材６８には、ケーブル固定部材６４のファイバ固定部７２側への移動を規制するための規制構造や、蓋１０８を閉状態に保持するための保持構造が備えられている。
【００４０】
光ファイバケーブル１２０は、光ファイバ心線１２２と、この光ファイバ心線１２２を被覆する外皮部１２４（シースや抗張力体）とを有している。また、光ファイバケーブル１２０の先端側では、上述の外皮部１２４が切除されることにより、外皮部１２４の端部から光ファイバ心線１２２の一部が突出部１２２Ａとして突出されている。
【００４１】
次に、この光コネクタ６０を光ファイバの先端部に固定する方法と併せて、その作用及び効果を説明する。
【００４２】
先ず、図２の上図に示されるように、光ファイバケーブル１２０の先端側の外皮部１２４を除去し、光ファイバ心線１２２を露出させる。続いて、この光ファイバケーブル１２０の外皮部１２２の先端側を一対の挟持部８８で把持して、光ファイバケーブル１２０にケーブル固定部材６４を固定する。さらに、光ファイバケーブル１２０の外皮部１２４の端部から突出された光ファイバ心線１２２の突出部１２２Ａ（露出部）の先端側の被覆を除去して裸ファイバ１２２Ｂを露出させ、この裸ファイバ１２２Ｂの先端を切断する。
【００４３】
そして、蓋１０８を開状態とし、ケーブル固定部材６４をファイバ固定部７２に近づけて、光ファイバ心線１２２の突出部１２２Ａの先端側をガイド孔１００を通じて溝８２に挿入すると共に、ケーブル固定部材６４を収納室１０６Ａに配置する（図２中図参照）。
【００４４】
次いで、内蔵光ファイバ７４の後端と光ファイバ心線１２２の先端とが突き当てられて光ファイバ心線１２２の突出部１２２Ａにたわみ１２６が形成されるまで、ケーブル固定部材６４をファイバ固定部７２に近づける（図２下図参照）。
【００４５】
そして、光ファイバ心線１２２の突出部１２２Ａにたわみ１２６が形成された状態で、図３に示されるように、楔８４をファイバ固定部７２から取り外す。これにより、押圧部材８０によって蓋部材７８が基板７６側に押圧されて光ファイバ心線１２２の突出部１２２Ａがファイバ固定部７２に固定される。
【００４６】
次いで、蓋１０８を閉状態として収納部材６８にケーブル固定部材６４を収納し、これにより、ファイバ固定部７２に対してケーブル固定部材６４を固定支持する。以上の要領で、光コネクタ６０は、光ファイバケーブル１２０と固定される。
【００４７】
ここで、この光コネクタ６０では、図１に示されるように、ファイバ固定部７２とケーブル固定部材６４との間に凸部９２が形成されている。そして、この凸部９２の高さは、ファイバ固定部７２の中心軸Ａ２よりも高く設定されている。従って、上述のように、ケーブル固定部材６４をファイバ固定部７２に近づけて光ファイバ心線１２２の突出部１２２Ａの一部にたわみ１２６を形成する場合でも、この凸部９２によってたわみ１２６の形成方向を特定の方向（上側）に規定することができる。これにより、たわみ１２６が周囲のコネクタ構造部（この場合、延出支持部９０）と干渉することを防止することができるので、所望の大きさのたわみ１２６を形成することができる。
【００４８】
この結果、光ファイバ心線１２２と内蔵光ファイバ７４との突き当て力を適切な値に調節することができるので、突き当て力が不足して光学特性が悪化したり、突き当て力が過大なことに起因して光ファイバ心線１２２や内蔵光ファイバ７４に欠け等が生じたりすることを防止することができる。
【００４９】
なお、本実施形態では、ケーブル固定部材６４に形成された延出支持部９０の先端に凸部９２が形成されていたが、図４に示されるように、凸部９２は、収納部材６８の本体部１０６から突出されていても良い。
【００５０】
このように構成されていると、光ファイバ心線１２２の突出部１２２Ａを溝８２に挿入する段階（図２上図参照）では、光ファイバ心線１２２の突出部１２２Ａがたわまないので、光ファイバ心線１２２の突出部１２２Ａを溝８２に容易に挿入することができる。
【００５１】
また、この凸部９２は、光コネクタ６０の横方向（紙面表裏方向）に移動可能に構成されていても良い。そして、たわみ１２６を形成するときに凸部９２を光コネクタ６０の中心軸上に移動させて光ファイバ心線１２２の突出部１２２Ａの一部にたわみ１２６を形成し、ファイバ固定部７２によって光ファイバ心線１２２と内蔵光ファイバ７４とを突き合わせ接続した後に、凸部９２を光コネクタ６０の中心軸上から外れた位置に移動させると共にケーブル固定部材６４を後退させることによって、たわみ１２６を解消させるようにしても良い。
【００５２】
また、本実施形態では、凸部９２の高さがファイバ固定部７２の中心軸Ａ２よりも高く設定されていたが、この凸部９２によってたわみ１２６の形成方向を特定の方向（上側）に規定することができれば、凸部９２の高さがファイバ固定部７２の中心軸Ａ２と同じ位置に設定されていても良い。
【００５３】
［第二実施形態］
次に、本発明の第二実施形態について説明する。
【００５４】
図５に示される本発明の第二実施形態に係る光コネクタ１３０は、上述の本発明の第一実施形態に係る光コネクタ６０に対し、次の如く構成が変更されている。
【００５５】
すなわち、ケーブル固定部材６４には、一対の把持部８８の一方からファイバ固定部７２に向けて延出する可動片１３２が形成されている。この可動片１３２は、上述の延出支持部９０と同様に、光ファイバ心線１２２の突出部１２２Ａを下側から支持する機能を有している。また、この可動片１３２の先端には、蓋１０８側に突出する凸部１３４が形成されている。一方、収納部材６８の本体部１０６には、凸部１３４と同じ側に突出する接触部１３６が形成されている。この接触部１３６は、側面視にて山型に形成されている。
【００５６】
そして、この光コネクタ１３０では、ケーブル固定部材６４がファイバ固定部７２側に移動されることに伴って可動片１３２が接触部１３６の傾斜面と接触し、これにより、可動片１３２が変形されて、この可動片１３２の凸部１３４がファイバ固定部７２の中心軸Ａ２よりも高い位置に位置されるようになっている。
【００５７】
次に、この光コネクタ１３０を光ファイバの先端部に固定する方法と併せて、その作用及び効果を説明する。
【００５８】
先ず、上述の本発明の第一実施形態と同様に、蓋１０８を開状態とすると共に、光ファイバケーブル１２０の外皮部１２４にケーブル固定部材６４を固定した状態とする（図６上図参照）。
【００５９】
そして、ケーブル固定部材６４をファイバ固定部７２に近づけて、光ファイバ心線１２２の突出部１２２Ａをガイド孔１００を通じて溝８２に挿入すると共に、ケーブル固定部材６４を収納室１０６Ａに配置する（図６中図参照）。
【００６０】
次いで、この状態からさらにケーブル固定部材６４をファイバ固定部７２に近づけると、可動片１３２が接触部１３６の傾斜面と接触することによって可動片１３２が変形された状態となり、可動片１３２の先端の凸部１３４がファイバ固定部７２の中心軸Ａ２よりも高い位置に位置される。そして、これにより、この可動片１４２１３２の先端の凸部１３４が光ファイバ心線１２２の突出部１２２Ａの一部を押し上げるので、光ファイバ心線１２２の突出部１２２Ａの一部にたわみ１２６が形成される（図６下図参照）。
【００６１】
そして、光ファイバ心線１２２にたわみ１２６が形成された状態で、楔８４をファイバ固定部７２から取り外す（図３参照）。これにより、押圧部材８０によって蓋部材７８が基板７６側に押圧されて光ファイバ心線１２２の突出部１２２Ａがファイバ固定部７２に固定される。
【００６２】
次いで、蓋１０８を閉状態として収納部材６８にケーブル固定部材６４を収納し、これにより、ファイバ固定部７２に対してケーブル固定部材６４を固定支持する。以上の要領で、光コネクタ１３０は、光ファイバケーブル１２０と固定される。
【００６３】
このように、この光コネクタ１３０によれば、上述のように、ケーブル固定部材６４をファイバ固定部７２に近づけた場合に、可動片１３２によって光ファイバ心線１２２の突出部１２２Ａの一部にたわみ１２６を形成することができると共に、このたわみ１２６の形成方向を特定の方向（上側）に規定することができる。これにより、たわみ１２６が周囲のコネクタ構造部（この場合、延出支持部としての機能を有する可動片１３２）と干渉することを防止することができるので、所望の大きさのたわみ１２６を形成することができる。
【００６４】
この結果、光ファイバ心線１２２と内蔵光ファイバ７４との突き当て力を適切な値に調節することができるので、突き当て力が不足して光学特性が悪化したり、突き当て力が過大なことに起因して光ファイバ心線１２２や内蔵光ファイバ７４に欠け等が生じたりすることを防止することができる。
【００６５】
また、この光コネクタ１３０によれば、光ファイバ心線１２２の突出部１２２Ａを溝８２に挿入する段階（図６上図参照）では、光ファイバ心線１２２の突出部１２２Ａがたわまないので、光ファイバ心線１２２の突出部１２２Ａを溝８２に容易に挿入することができる。
【００６６】
なお、本実施形態では、可動片１３２が変形された場合に、可動片１３２の先端の凸部１３４がファイバ固定部７２の中心軸Ａ２よりも高い位置に位置されるように構成されていたが、この凸部１３４によってたわみ１２６の形成方向を特定の方向（上側）に規定することができれば、可動片１３２が変形された場合に、可動片１３２の先端の凸部１３４がファイバ固定部７２の中心軸Ａ２と同じ位置に位置されるように構成されていても良い。
【００６７】
［第三実施形態］
次に、本発明の第三実施形態について説明する。
【００６８】
図７に示される本発明の第三実施形態に係る光コネクタ１４０は、上述の本発明の第一実施形態に係る光コネクタ６０に対し、次の如く構成が変更されている。
【００６９】
すなわち、ケーブル固定部材６４には、一対の把持部８８の一方からプラグ６２側に向けて延出する延出支持部１４１が形成されている。また、収納部材６８の本体部１０６には、弾性を有する可動片１４２が形成されており、この可動片１４２の先端には、蓋１０８側に突出する凸部１４４が形成されている。また、この可動片１４２は、下側から力が加えられたときに凸部１４４がファイバ固定部７２の中心軸Ａ２よりも高い位置に位置されるように弾性変形可能な構成とされている。
【００７０】
次に、この光コネクタ１４０を光ファイバの先端部に固定する方法と併せて、その作用及び効果を説明する。
【００７１】
先ず、上述の本発明の第一実施形態と同様に、蓋１０８を開状態とすると共に、光ファイバケーブル１２０の外皮部１２４にケーブル固定部材６４を固定した状態とする（図８上図参照）。
【００７２】
そして、ケーブル固定部材６４をファイバ固定部７２に近づけて、光ファイバ心線１２２の突出部１２２Ａをガイド孔１００を通じて溝８２に挿入すると共に、ケーブル固定部材６４を収納室１０６Ａに配置する（図８中図参照）。
【００７３】
また、このときに可動片１４２に下側から力を加えて可動片１４２を弾性変形させ、可動片１４２の先端の凸部１４４をファイバ固定部７２の中心軸Ａ２よりも高い位置に位置させる。これにより、この可動片１４２の先端の凸部１４４が光ファイバ心線１２２の突出部１２２Ａの一部を押し上げるので、光ファイバ心線１２２の突出部１２２Ａにたわみ１２６が形成された状態で内蔵光ファイバ７４の後端と光ファイバ心線１２２の先端とが突き当てられる。
【００７４】
そして、光ファイバ心線１２２にたわみ１２６が形成された状態で、楔８４をファイバ固定部７２から取り外す（図３参照）。これにより、押圧部材８０によって蓋部材７８が基板７６側に押圧されて光ファイバ心線１２２の突出部１２２Ａがファイバ固定部７２に固定される。
【００７５】
次いで、蓋１０８を閉状態として収納部材６８にケーブル固定部材６４を収納し、ファイバ固定部７２に対してケーブル固定部材６４を固定支持する。以上の要領で、光コネクタ１４０は、光ファイバケーブル１２０と固定される。
【００７６】
このように、この光コネクタ１４０によれば、上述のように、ケーブル固定部材６４をファイバ固定部７２に近づけた場合に、可動片１４２によって光ファイバ心線１２２の突出部１２２Ａの一部にたわみ１２６を形成することができると共に、このたわみ１２６の形成方向を特定の方向（上側）に規定することができる。これにより、たわみ１２６が周囲のコネクタ構造部（この場合、延出支持部１４１）と干渉することを防止することができるので、所望の大きさのたわみ１２６を形成することができる。
【００７７】
この結果、光ファイバ心線１２２と内蔵光ファイバ７４との突き当て力を適切な値に調節することができるので、突き当て力が不足して光学特性が悪化したり、突き当て力が過大なことに起因して光ファイバ心線１２２や内蔵光ファイバ７４に欠け等が生じたりすることを防止することができる。
【００７８】
なお、本実施形態では、可動片１４２が下側から力を加えられて最も弾性変形された場合に、可動片１４２の先端の凸部１４４がファイバ固定部７２の中心軸Ａ２よりも高い位置に位置されるように構成されていたが、この凸部１４４によってたわみ１２６の形成方向を特定の方向（上側）に規定することができれば、可動片１４２が下側から力を加えられて最も弾性変形された場合に、可動片１４２の先端の凸部１４４がファイバ固定部７２の中心軸Ａ２と同じ位置に位置されるように構成されていても良い。
【００７９】
また、蓋１０８を閉状態として収納部材６８にケーブル固定部材６４を収納した状態では、ケーブル固定部材６４が後退されてたわみ１２６が解消されるように構成されていても良い。このように構成されていると、たわみ１２６による光ファイバ心線１２２の光学特性の低下を防止することができる。
【００８０】
［第四実施形態］
次に、本発明の第四実施形態について説明する。
【００８１】
図９に示される本発明の第四実施形態に係る光コネクタ１５０は、上述の本発明の第一実施形態に係る光コネクタ６０に対し、次の如く構成が変更されている。
【００８２】
すなわち、ガイド孔１００は、ファイバ固定部７２の中心軸Ａ２（溝８２の中心軸）に対して蓋１０８側に偏芯した位置に中心軸Ａ３を有する構成とされている。
【００８３】
次に、この光コネクタ１５０を光ファイバの先端部に固定する方法と併せて、その作用及び効果を説明する。
【００８４】
先ず、上述の本発明の第一実施形態と同様に、蓋１０８を開状態とすると共に、光ファイバケーブル１２０の外皮部１２４にケーブル固定部材６４を固定した状態とする。また、ケーブル固定部材６４をファイバ固定部７２に近づけて、光ファイバ心線１２２の突出部１２２Ａをガイド孔１００に挿入した後に溝８２に挿入する。（図９上図参照）。
【００８５】
次いで、内蔵光ファイバ７４の後端と光ファイバ心線１２２の先端とが突き当てられて光ファイバ心線１２２の突出部１２２Ａにたわみ１２６が形成されるまで、ケーブル固定部材６４をファイバ固定部７２に近づける。
【００８６】
そして、光ファイバ心線１２２にたわみ１２６が形成された状態で、楔８４をファイバ固定部７２から取り外す（図３参照）。これにより、押圧部材８０によって蓋部材７８が基板７６側に押圧されて光ファイバ心線１２２の突出部１２２Ａがファイバ固定部７２に固定される。
【００８７】
次いで、蓋１０８を閉状態として収納部材６８にケーブル固定部材６４を収納し、これにより、ファイバ固定部７２に対してケーブル固定部材６４を固定支持する。以上の要領で、光コネクタ１５０は、光ファイバケーブル１２０と固定される。
【００８８】
ここで、この光コネクタ１５０では、ガイド孔１００がファイバ固定部７２の中心軸Ａ２に対して蓋１０８側に偏芯した位置に中心軸Ａ３を有している。従って、上述のように、ケーブル固定部材６４をファイバ固定部７２に近づけたときには、このガイド孔１００の中心軸Ａ３がファイバ固定部７２の中心軸Ａ２に対して偏芯した位置に設定されていることよって光ファイバ心線１２２の突出部１２２Ａの一部にたわみ１２６を形成することができると共に、このたわみ１２６の形成方向を特定の方向（上側）に規定することができる。これにより、たわみ１２６が周囲のコネクタ構造部（この場合、延出支持部９０）と干渉することを防止することができるので、所望の大きさのたわみ１２６を形成することができる。
【００８９】
この結果、光ファイバ心線１２２と内蔵光ファイバ７４との突き当て力を適切な値に調節することができるので、突き当て力が不足して光学特性が悪化したり、突き当て力が過大なことに起因して光ファイバ心線１２２や内蔵光ファイバ７４に欠け等が生じたりすることを防止することができる。
【００９０】
以上、本発明の一実施形態について説明したが、本発明は、上記に限定されるものでなく、上記以外にも、その主旨を逸脱しない範囲内において種々変形して実施可能であることは勿論である。
【符号の説明】
【００９１】
６０  光コネクタ
６４  ケーブル固定部材（ケーブル固定部）
６８  収納部材（固定支持部）
７０  フェルール
７２  ファイバ固定部
７４  内蔵光ファイバ
８２  溝
９０  延出支持部
９２  凸部
１００  ガイド孔
１２０  光ファイバケーブル
１２２  光ファイバ心線
１２２Ａ  光ファイバ心線の突出部
１２４  光ファイバケーブルの外皮部
１３０  光コネクタ
１３２  可動片
１３４  凸部
１３６  接触部
１４０  光コネクタ
１４１  延出支持部
１４２  可動片
１４４  凸部
１５０  光コネクタ
【図１】
2011059701.tif 000003
【図２】
2011059701.tif 000004
【図３】
2011059701.tif 000005
【図４】
2011059701.tif 000006
【図５】
2011059701.tif 000007
【図６】
2011059701.tif 000008
【図７】
2011059701.tif 000009
【図８】
2011059701.tif 000010
【図９】
2011059701.tif 000011